(57)【要約】      （修正有）【課題】端末処理された同軸ケーブルに、Ｆ型接栓を装着する手軽で操作も簡単なＦ型接栓装着工具を提供する。【解決手段】注射器形をした握り型Ｆ型接栓装着工具で同軸ケーブルの径に応じて調圧を可能とする同軸押さえ手段を有し、握り支持腕を設けられた同軸案内部と、Ｆ型接栓取付部とＦ型接栓圧入時に案内する圧入案内板と装着操作をする握り部とで形成された接栓装着部とで構成される。また、拳銃形をしたレバー型Ｆ型接栓装着工具で、本体部が前記の同軸押さえ手段を有する同軸案内部と、接栓装着部を軸方向に前後移動の案内をする装着部案内部と、装着部押込みねじを螺送する螺送部と握持部で形成され、Ｆ型接栓取付部を有し軸方向に前後移動をする装着部案内溝を設けられた接栓装着部と、その接栓装着部を押し出す装着部押出しレバーと螺送部に螺着された装着部押込みねじで構成される。【選択図】図１
0003130104.tif 000002
【実用新案登録請求の範囲】
【請求項１】
端末処理された同軸ケーブルへのＦ型接栓装着工具であって、注射器形をした握り型Ｆ型接栓装着工具で同軸ケーブルの径に応じて調圧を可能とする同軸押さえ手段を有し、握り支持腕を設けられた同軸案内部と、接栓装着部がＦ型接栓を嵌合するＦ型接栓取付部とＦ型接栓圧入時に案内する圧入案内板と装着操作をする握り部とで形成された接栓装着部と、前記同軸案内部とで構成された注射器形をした握り型Ｆ型接栓装着工具。
【請求項２】
端末処理された同軸ケーブルへのＦ型接栓装着工具であって、拳銃形をした握りレバーを有するレバー型Ｆ型接栓装着工具で、本体部が同軸ケーブルの径に応じて調圧を可能とする同軸押さえ手段を有する同軸案内部と、板形の接栓装着部を軸方向に前後移動の案内をする凸形の装着部案内を設けられた装着部案内部と装着部押込みねじを螺送する螺送部と取っ手の握持部とで形成された本体部と、Ｆ型接栓を嵌合するＦ型接栓取付部を有し、前記装着部案内を軸方向に前後移動をする凹形の装着部案内溝が設けられた板形の接栓装着部と、その接栓装着部を押し出す装着部押出しレバーと、前記装着部押込みねじとで構成された拳銃形をしたレバー型Ｆ型接栓装着工具。
【考案の詳細な説明】
【技術分野】
【０００１】  この考案は、端末処理された同軸ケーブルにＦ型接栓を装着するときに使用する工具に関するものである。
【背景技術】
【０００２】  デジタル放送化、ＣＡＴＶシステム化等により情報源のグローバル化、多チャンネル化、多メデイア化、通信と放送の融合化が行われつつあり、高周波信号の漏洩、ノイズ、他電波の混入を防ぐためＦ型接栓を螺着する接栓座を有するメデイア機器、映像機器、各受信機や、分配器、分岐器等家庭用受信機器が多用されるようになり、同軸ケーブルを端末処理しＦ型接栓をその同軸ケーブルに装着し、各機器の接栓座へ螺着する頻度が増加してきた。【０００３】  端末処理された同軸ケーブルにＦ型接栓を装着する工程を図３に図示しているが、図３（ａ）の処理済同軸ケーブル８３の如く、同軸ケーブル端末処理までは便利な加工器具が開発され一般に活用されている。しかし、図３の（ｂ）（ｃ）（ｄ）までのＦ型接栓装着過程における便利な工具がなく、ペンチ等を使用しての装着作業となっている。そして、図３（ｅ）の段階において種々のリングかしめ工具が開発されている。【０００４】  前記、Ｆ型接栓装着工程において、種々の同軸ケーブル、例えば、径の異なる３Ｃ、５Ｃ、７Ｃ同軸ケーブル、メッセンジャー付で外部導体アルミ箔ケーブル、高周波信号用３重構造ケーブル、劣化し硬直した外皮のシース、さらに、寒期における硬直化したシースの同軸ケーブルへのＦ型接栓装着難作業、その上、床下、高所壁面、天井裏、屋根上等々、過酷な状況下において旧線、新線問わずＦ型接栓装着作業がなされている。
【考案の開示】
【考案が解決しようとする課題】
【０００５】  そこで、端末処理された同軸ケーブルに、Ｆ型接栓を装着する手軽で安全な、操作も簡単な工具で製造コストを抑えたＦ型接栓装着工具を提供することを課題とする。
【課題を解決するための手段】
【０００６】  上記の課題を解決するために、第一考案による課題解決手段は端末処理された同軸ケーブルへのＦ型接栓装着工具であって、注射器形をした握り型Ｆ型接栓装着工具で同軸ケーブルの径に応じて調圧を可能とする同軸押さえ手段を有し、握り支持腕を設けられた同軸案内部と、接栓装着部がＦ型接栓を嵌合するＦ型接栓取付部とＦ型接栓圧入時に案内する圧入案内板と装着操作をする握り部とで形成された接栓装着部と、前記同軸案内部とで構成された注射器形をした握り型Ｆ型接栓装着工具である。【０００７】  第二考案による課題解決手段は、端末処理された同軸ケーブルへのＦ型接栓装着工具であって、拳銃形をした握りレバーを有するレバー型Ｆ型接栓装着工具で、本体部が同軸ケーブルの径に応じて調圧を可能とする同軸押さえ手段を有する同軸案内部と、板形の接栓装着部を軸方向に前後移動の案内をする凸形の装着部案内を設けられた装着部案内部と装着部押込みねじを螺送する螺送部と取っ手の握持部で形成された本体部と、Ｆ型接栓を嵌合するＦ型接栓取付部を有し、前記装着部案内を軸方向に前後移動をする凹形の装着部案内溝を設けられた接栓装着部と、その接栓装着部を押し出す装着部押出しレバーと前記螺送部に螺着された装着部押込みねじで構成された拳銃形をしたレバー型Ｆ型接栓装着工具である。
【考案の効果】
【０００８】  第一考案の注射器形をした握り型Ｆ型接栓装着工具及び、第二考案の拳銃形をした握りレバーを有するレバー型Ｆ型接栓装着工具によれば、端末処理された同軸ケーブルにＦ型接栓を手軽で安全に、操作も簡単に装着することができる。
【考案を実施するための最良の形態】
【０００９】  以下、本考案を実施するための最良の形態を図示例と共に説明する。図１は注射器形をした握り型Ｆ型接栓装着工具、図２は拳銃形をした握りレバーを有するレバー型Ｆ型接栓装着工具であって、強化プラ又は金属類での製造が好適である。尚、説明時同名箇所が在るため前者にＡ、後者にＢの記号を添付し区別をする。【００１０】  まず、同軸ケーブル８３へのＦ型接栓８１装着手順は図３に図示の如く（ａ）乃至（ｅ）の工程を経るが、（ａ）に図示の如く、Ｆ型接栓８１と接栓の脱落を防ぐかしめリング８２と端末処理された同軸ケーブル８３とで構成され、（ｂ）の如く、かしめリング８２に端末処理された同軸ケーブル８３を貫入し内部導体である芯線８７を同軸受け部８６内に差し入れ、（ｃ）の如く、同軸ケーブル８３の絶縁部８８をＦ型接栓８１の同軸受け部８６内に挿入し、次（ｄ）において、前記同軸ケーブル８３の端末処理された付近を片方の手でかたく、きつく握り締め、片方の手でペンチ等を用いてＦ型接栓８１の接栓部８４を掴み、同軸受け部８６を同軸ケーブル８３の外部導体である網組み線８９と前記絶縁部８８との間に挿入し、外皮であるシース９０に埋没し同軸ストッパー８５に当たるまで圧入する。そして（ｅ）、かしめリング８２を圧着してＦ型接栓８１の同軸ケーブル８３への装着は完了する。【００１１】  前記、図３における（ｂ）（ｃ）（ｄ）の手作業を解決するのが図１、図２のＦ型接栓装着工具Ａ、Ｂであって、同軸ケーブル８３の端末処理された付近を片方の手でかたく、きつく握り締めることは同軸押さえ手段によりなされるが、その同軸押さえ手段ついては、図１の注射器形の握り型Ｆ型接栓装着工具Ａ、図２の拳銃形をした握りレバーを有するレバー型Ｆ型接栓装着工具Ｂ共形状及び構造は同じである。その同軸押さえ手段ついては図示例４の如く、図面において同軸案内部Ａ６の左端付近の片側に凸形の膨らみ、弓形状した部分に同軸押さえ刃孔４１が設けられており、その孔に同軸押さえ刃４２が組み込まれ、押さえレバーピン４４を押さえ調圧孔４３に貫入し上下両部分の押さえレバーピン孔Ａ１１に係り止めされて同軸押さえレバー１２が組みつけられている。【００１２】  そして、同軸案内溝Ａ７に案内されている同軸ケーブル８３を固定する同軸押さえレバーＡ１２の開閉操作支点となる同軸押さえレバーピン４４を貫入される同軸押さえレバーＡ１２に設けられた押さえ調圧孔４３は、同軸案内溝Ａ７に案内された同軸ケーブル８３の径に応じて押さえ圧が調節できるように前後移動と、同軸押さえレバーピン４４が係り止まりを可能とする３段階の連なる半弧が設けられている。図５はその操作手順を示す図であって、（ａ）、同軸押さえレバーＡ１２を起こし同軸押さえ刃４２をフリーの状態で同軸案内溝Ａ７に同軸ケーブル８３を案内し、（ｂ）、起こした状態の同軸押さえレバーＡ１２を同軸ケーブル８３側へ軸方向垂直に押し込み、押さえ調圧孔４３の同軸押さえレバーピン４４の係り止まりする位置で、（ｃ）、図示の如く傾動させ閉めこむ。【００１３】  図１の握り型Ｆ型接栓装着工具Ａは、同軸案内部Ａ６と接栓装着部Ａ１とで構成され、同軸案内溝Ａ７を設けられた同軸案内部Ａ６は前記同軸押さえ手段を有しＦ��接栓８１圧入時に支えとなる握り支持腕５を両側に設けてある。そして、同軸案内部Ａ６の握り支持腕５側の下部に後記、圧入案内板９の出し入れ可能な図示６の圧入案内板孔５２が設けられている。接栓装着部Ａ１はＦ型接栓取付部Ａ３と圧入案内板９と握り部２とで形成され、Ｆ型接栓取付部Ａ３はＦ型接栓８１嵌入時の脱落防止に外径が鋸刃形状に形成され、同軸ケーブル８３の芯栓８７をガイドする芯線案内孔Ａ８を有し、圧入案内板９は同軸案内部Ａ６に設けられた圧入案内板孔５２に差し入れられ、軸方向に出し入れ可能で、脱落防止ピン５１を挿入される案内板孔１０が設けられている。握り部２はＦ型接栓８１の圧入時において加圧可能な厚さと作業しやすい凸形状に形成されている。【００１４】  図２の握りレバーを有するレバー型Ｆ型接栓装着工具Ｂは、本体部２０と接栓装着部Ｂ２５と装着部押出しレバー３３と装着部押込みねじ２２で構成され、本体部２０は、拳銃の取っ手をした握持部３１とその上部に装着部押込みねじ２２を螺送する螺刻された図示８の螺刻孔７０が設けられた螺送部２３と、板形の接栓装着部Ｂ２５を軸方向に前後移動の案内をする図７の凸形の装着部案内５１を設けられた装着部案内部２７と、前記同軸押さえ手段を有し同軸案内溝Ｂ２９が設けられた同軸案内部Ｂ２８とで形成されている。【００１５】  前記、凸形の装着部案内５１に係り止めされる下部両横を凹形にされた装着部案内溝５２を有する板形の接栓装着部Ｂ２５は装着部押出しレバー３３によって押し出し移動させられるが、その接栓装着部Ｂ２５を押し出す装着部押出しレバー３３上部の装着部押出部２４は図示８の如く接触部分が半弧円をし、その裏側には先端部分を半円球状に加工された装着部押込みねじ２２が押し当てられる半円球状の窪みが設けられている。その装着部押出しレバー３３は本体部２０の押出しレバー組付孔７１に挿入され、レバー固定ピン３０で固定され、前記レバー固定ピン３０を支点に揺動を可能とする。そして、装着部押出しレバー３３によるＦ型接栓８１の同軸ケーブル８３への圧入不足の場合や装着部押出しレバー３３操作によるＦ型接栓８１圧入が難しい場合において、螺送部２３に螺着された螺旋ガイド２１を有する装着部押込みねじ２２を螺送し確実に圧入し装着することが可能である。【００１６】  図６は握り型Ｆ型接栓装着工具Ａの操作説明図であり、端末処理された同軸ケーブル８３にかしめリング８２を貫入し装着操作に邪魔にならない位置まで移動をしておく、そして（ａ）の如く、Ｆ型接栓８１の接栓部８４を接栓装着部Ａ１のＦ型接栓取付部Ａ３に嵌合させ、同軸案内部Ａ６の同軸案内溝Ａ７に同軸ケーブル８３を案内し、芯線８７、絶縁部８８の順にＦ型接栓８１の同軸受け部８６内に挿入し、起こしてあった同軸押さえレバーＡ１２を同軸ケーブル８３の径に応じ調圧し、傾動させて固定する。次（ｂ）において、接栓装着部Ａ１と握り支持腕５とで接栓装着部Ａ１を握り移動させて、前記同軸ケーブル８３にＦ型接栓８１を圧入する。【００１７】  図８は握りレバーを有するレバー型Ｆ型接栓装着工具Ｂの操作説明図で、端末処理された同軸ケーブル８３にかしめリング８２を貫入し装着操作に邪魔にならない位置まで移動をしておく、そして（ａ）の如く、Ｆ型接栓８１の接栓部８４を板形の接栓装着部Ｂ２５のＦ型接栓取付部Ｂ３４に嵌合させ、同軸案内部Ｂ２８の同軸案内溝Ｂ２９に前記同軸ケーブル８３を案内し、芯線８７、絶縁部８８の順にＦ型接栓８１の同軸受け部８６内に挿入し、起こしてあった同軸押さえレバーＢ３７を前記同軸ケーブル８３の径に応じ調圧し傾動させて固定する。次（ｂ）において、装着部押出しレバー３３を握り装着部押出部２４を押し出して接栓装着部Ｂ２５を移動させ、前記同軸ケーブル８３にＦ型接栓８１を圧入する。又（ｃ）の如く、同軸ケーブル８３への圧入不足の場合や、装着部押出しレバー３３操作によるＦ型接栓８１圧入が難しい場合に、螺旋ガイド２１を回動し装着部押込みねじ２２を螺送し確実に圧入装着する。【００１８】  又、図２に図示の如く、レバー型Ｆ型接栓装着工具Ｂの握持部３１にＦ型接栓８１、かしめリング８２、中継接栓等小物入れの収納部３２装備や、端末処理された同軸ケーブル８３の芯線８７には絶縁部８８の処理かすが付着し期待電解強度が得られないことがあるので、図１、図２の如く接栓装着部Ａ１、接栓装着部Ｂ２５の左右両端に紙やすり等による芯線クリーナー部Ａ４及び、Ｂ２６を夫々設けることも可能である。
【図面の簡単な説明】
【００１９】
【図１】本考案の注射器形をした握り型Ｆ型接栓装着工具の斜視図である。
【図２】本考案の拳銃形をしたレバー型Ｆ型接栓装着工具の斜視図である。
【図３】端末処理された同軸ケーブルへのＦ型接栓装着工程を示す説明図である。
【図４】同軸案内部における同軸押さえ手段を構造分解した斜視図である。
【図５】同軸押さえレバー１２、３７の操作手順を示す説明図である。
【図６】本考案の握り型Ｆ型接栓装着工具の操作説明図である。
【図７】板形の接栓装着部２５説明のための装着部案内部２７の断面斜視図である。
【図８】本考案のレバー型Ｆ型接栓装着工具の操作説明図である。
【符号の説明】
【００２０】１    接栓装着部Ａ          ３１  握持部                ７１  押出しレバー組付孔
２    握り部                ３２  収納部
３    Ｆ型接栓取付部Ａ      ３３  装着部押出しレバー
４    芯線クリーナー部Ａ    ３４  Ｆ型接栓取付部Ｂ
５    握り支持腕            ３５  芯線案内孔Ｂ
６    同軸案内部Ａ          ３６  押さえレバーピン孔Ｂ
７    同軸案内溝Ａ          ３７  同軸押さえレバーＢ    ８１  Ｆ型接栓
８    芯線案内孔Ａ                                      ８２  かしめリング
９    圧入案内板            ４１  同軸押さえ刃孔        ８３  同軸ケーブル
１０  案内板孔              ４２  同軸押さえ刃          ８４  接栓部
１１  押さえレバーピン孔Ａ  ４３  押さえ調圧孔          ８５  同軸ストッパー
１２  同軸押さえレバー      ４４  同軸押さえレバーピン  ８６  同軸受け部
２０  本体部                                            ８７  芯線
２１  螺旋ガイド                                        ８８  絶縁部
２２  装着部押込みねじ                                  ８９  網組み線
２３  螺送部                ５１  装着部案内            ９０  シース
２４  装着部押出部          ５２  装着部案内溝
２５  接栓装着部Ｂ
２６  芯線クリーナー部Ｂ
２７  装着部案内部
２８  同軸案内部Ｂ
２９  同軸案内溝Ｂ
３０  レバー固定ピン
【図１】
0003130104.tif 000003
【図２】
0003130104.tif 000004
【図３】
0003130104.tif 000005
【図４】
0003130104.tif 000006
【図５】
0003130104.tif 000007
【図６】
0003130104.tif 000008
【図７】
0003130104.tif 000009
【図８】
0003130104.tif 000010